(57)【要約】【課題】  シャッターの落下防止装置における転がり体の跳ね返りによる誤動作を防止する。【解決手段】  シャッターカーテン３を巻き上げ下げする巻取軸４の駆動部９と、シャッターカーテン３のガイドレール１０と、シャッターカーテン３の落下防止装置１１とを備え、該落下防止装置１１は、巻取軸４に連結された回転ディスク２４と、該回転ディスク２４を収容した固定本体２５とを有し、回転ディスク２４の外周に転がり体３０を収容した複数の収容溝３１を設け、固定本体２５の内周の上側部分に落下時の高速回転の遠心力で収容溝３１から飛び出す転がり体３０を該転がり体３０の外径の略半分だけ嵌合させて回転ディスク２４の回転を停止させる嵌合溝３２を設け、該嵌合溝３２に転がり体３０により操作される駆動部停止スイッチ３４の操作部３５を設け、該操作部３５に転がり体３０が嵌合溝３２の壁に当たる衝撃を吸収する衝撃吸収手段３６を設ける。【選択図】          図５
2006307442.tif 000002
【特許請求の範囲】
【請求項１】
建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部に転がり体が嵌合溝の壁に当たる衝撃を吸収する衝撃吸収手段を設けたことを特徴とするシャッター。
【請求項２】
建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部を嵌合溝のエッジから半径方向外方に転がり体の直径の０．１〜０．４倍離して設けたことを特徴とするシャッター。
【請求項３】
建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設けると共に、転がり体が地震等の揺れで嵌合溝側に移動した時に駆動部停止スイッチが切れてから回転ディスクが停止するまでの動きを許容する遊びを回転角度で５〜２０°設けたことを特徴とするシャッター。
【発明の詳細な説明】
【技術分野】
【０００１】
本発明は、シャッターに係り、特にシャッターカーテンの落下防止装置を備えたシャッターに関する。
【背景技術】
【０００２】
一般的にシャッターは、建物の開口部の上部に設けられシャッターカーテンを巻き上げ下げする巻取軸と、該巻取軸の両端部を軸受を介して回転可能に支持するブラケットと、巻取軸に回転力を与える駆動部と、シャッターカーテンの両側部を昇降可能に支持するガイドレールとを備えている。前記駆動部としては、例えばバネ式や電動式などがある。電動式の場合、モータ駆動の開閉機にブレーキ装置やガバナー装置が組込まれており、例えば停電時には上昇中や降下中のシャッターカーテンをブレーキ装置により停止させたり、火災時にはガバナー装置によりシャッターカーテンの降下速度を減速させながら自動降下させたりするなど安全性の向上が図られている。
【０００３】
ところで、従来では、駆動用のチェーンの切断や外れ、ブレーキ装置の故障などによりブレーキ装置やガバナー装置が効かない状態でシャッターカーテンの落下が始まった場合、その落下を停止させることができないという問題があった。この問題を解決するために、シャッターカーテンの落下を抑制する落下防止装置を備えたシャッターが提案されている（例えば特開２０００−１１０４６１号公報参照）。
【０００４】
この落下防止装置は、回転部であるディスク部と、固定部であるボディ部とを有し、ディスク部の外周には中空体であるローラを収納できる凹溝が形成され、ボディ部にはディスク部の包絡線に接近した下方部分と、ローラの外径の略半分の間隔を開けた上方部分とからなる内周部分が形成され、正常の回転速度では上方部分の終端部でローラが凹溝の深い部分に落とし込まれて回転を妨げることはなく、異常回転ではローラが凹溝の浅い部分と上方部分の終端部との間に挟まり、その際の衝撃でローラが変形して衝撃力を吸収すると共にローラが反動で凹溝の深い部分に落ち込むのを防止し、シャッターカーテンの確実な落下防止を可能としている。
【０００５】
【特許文献１】特開２０００−１１０４６１号公報
【発明の開示】
【発明が解決しようとする課題】
【０００６】
しかしながら、前記シャッターにおいては、落下防止装置が一度作動すると、ローラが変形して再使用することができず、ローラの交換作業を要するという問題がある。また、落下防止装置が作動しても、それを検出することが困難であったので、開閉機のモータが回転しっぱなしになる等の問題がある。
【０００７】
そこで、このような問題を解決するために、本出願人は、建物の開口部の上部に設けられシャッターカーテンを巻き上げ下げする巻取軸と、該巻取軸の両端部を軸受を介して回転可能に支持するブラケットと、巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に中実の転がり体を収容した複数の収容溝を設け、固定本体の内周の上側部分に落下時の高速回転の遠心力で収容溝から飛び出す転がり体を該転がり体の外径の略半分だけ嵌合（ロック）させて回転ディスクの回転を停止させるための嵌合溝を設けてなるシャッターを先に出願した（特願２００４−２５７７６１、未公開）。
【０００８】
このシャッターによれば、シャッターカーテンの落下を確実に防止できると共に、落下防止装置が作動しても転がり体が変形せずに何度でも再使用することができて交換作業を要しない。また、嵌合溝に転がり体が嵌合したことを検出する検出手段を設ければ、落下防止装置が作動した時に駆動部（開閉機）を自動的に停止させることが可能となる。
【０００９】
ところで、上記シャッターにおいては、駆動用のチェーンの切断等によりシャッターカーテンの落下が始まり、回転ディスクが高速回転（異常回転）になった場合に、回転ディスクの収容溝から遠心力で飛び出した転がり体が嵌合溝の壁に勢いよく当たる衝撃で収容溝側へ跳ね返ってしまうことによりロックがかからないという誤動作を起こすことが考えられる。その場合でも、後続の収容溝から順次転がり体が嵌合溝側に飛び出てロックがかかるので問題はないが、動作が不安定となり、落下量が増加する可能性がある。
【００１０】
また、上記シャッターにおいては、駆動用のチェーンの切断等によりシャッターカーテンの落下が始まり、回転ディスクが高速回転（異常回転）になった場合に、例えば図８に示すように、転がり体３０の中心が回転ディスク２４の収容溝３１のエッジ３１ｅと固定本体２５の嵌合溝３２のエッジ３２ｅとを結ぶ直線上付近にあると、両エッジ３１ｅ，３２ｅ間に転がり体３０が挟まる不完全なロックがかかることが考えられる。このような不完全なロックがかかると、何かの弾みでロックが外れてシャッターカーテンが再落下する可能性がある。
【００１１】
更に、上記シャッターにおいては、シャッターカーテンの巻き下げ中（従って、回転ディスクは正常回転である。）に、地震や強風などの強い揺れが発生すると、例えば図９に示すように転がり体３０が揺れにより回転ディスク２４の収容溝３１から固定本体２５の嵌合溝３２側に移動してしまうことによりロックがかかってしまうという誤動作を起こすことが考えられる。このような揺れによる誤動作を起こした場合、ロックが一度かかってしまうと、これを元に戻すためにシャッターケースの天井を剥がして落下防止装置の部品交換を行わなければならなくなる（解体を要する）可能性がある。
【００１２】
本発明は、上記事情を考慮してなされたものであり、落下防止装置における転がり体の跳ね返りによる誤動作を防止することができるシャッターを提供することを目的とする。また、本発明の目的は、落下防止装置における不完全なロックを防止することができるシャッターを提供することにある。更に、本発明の目的は、落下防止装置における地震等の揺れによる誤動作を起こしたとしても容易に復帰させることができるシャッターを提供することにある。
【課題を解決するための手段】
【００１３】
本発明のうち、請求項１記載のシャッターは、建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部に転がり体が嵌合溝の壁に当たる衝撃を吸収する衝撃吸収手段を設けたことを特徴とする。
【００１４】
請求項２記載のシャッターは、建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部を嵌合溝のエッジから半径方向外方に転がり体の直径の０．１〜０．４倍離して配置したことを特徴とする。
【００１５】
請求項３記載のシャッターは、建物の開口部の上部に設けられシャッターカーテンを巻き上げ下げする巻取軸と、該巻取軸の両端部を軸受を介して回転可能に支持するブラケットと、巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設けると共に、転がり体が地震等の揺れで嵌合溝側に移動した時に駆動部停止スイッチが切れてから回転ディスクが停止するまでの動きを許容する遊びを回転角度で５〜２０°設けたことを特徴とする。
【発明の効果】
【００１６】
請求項１記載のシャッターによれば、建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部に転がり体が嵌合溝の壁に当たる衝撃を吸収する衝撃吸収手段を設けているため、転がり体の跳ね返りによる誤動作を防止することができ、動作が安定する。
【００１７】
請求項２記載のシャッターによれば、建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設け、該操作部を嵌合溝のエッジから半径方向外方に転がり体の直径の０．１〜０．４倍離して配置しているため、不完全なロックを防止することができ、不完全なロックに起因するシャッターカーテンの再落下を防止することができる。
【００１８】
請求項３記載のシャッターによれば、建物の開口部の上部に設けられシャッターカーテンを巻き上げ下げする巻取軸と、該巻取軸に回転力を与える駆動部と、シャッターカーテンの両側部を昇降可能に支持するガイドレールと、シャッターカーテンの落下を抑制する落下防止装置とを備え、該落下防止装置は、巻取軸に連結された回転ディスクと、該回転ディスクを収容した固定本体とを有し、回転ディスクの外周に転がり体を収容した複数の収容溝を設け、固定本体の内周の上側部分に落下時の高速回転の遠心力で収容溝から飛び出す転がり体を該転がり体の外径の略半分だけ嵌合させて回転ディスクの回転を停止させるための嵌合溝を設け、該嵌合溝に転がり体により操作される駆動部停止スイッチの操作部を設けると共に、転がり体が地震等の揺れで嵌合溝側に移動した時に駆動部停止スイッチが切れてから回転ディスクが停止するまでの動きを許容する遊びを回転角度で５〜２０°設けているため、地震等の揺れによる誤動作を起こしたとしても、ロックがかかる前に駆動部を停止させることができ、容易に復帰させることができる。
【発明を実施するための最良の形態】
【００１９】
以下に、本発明を実施するための最良の形態について、添付図面を基に詳述する。図１は本発明の実施の形態に係るシャッターの概略構成を示す図で、（ａ）は正面図、（ｂ）は側面図、図２は同シャッターの駆動側の構造を示す図、図３は同シャッターの従動側の構造を示す図、図４は図３の要部拡大断面図である。図５は高速回転時の落下防止装置の作用を示す図で、（ａ）は転がり体が嵌合溝側に移動する際の図、（ｂ）は転がり体により駆動部停止スイッチの操作部が操作される際の図、（ｃ）は転がり体が嵌合溝に嵌合する際の図である。図６は高速回転時の落下防止装置の作用を示す図で、（ａ）は転がり体が駆動部停止スイッチの操作部に接する際の図、（ｂ）は更に操作部が操作される際の図、（ｃ）は転がり体が操作部から嵌合溝のエッジ部にバトンタッチされる際の図、（ｄ）は転がり体が嵌合溝に押し出される際の図である。図７は正常回転時の落下防止装置の作用を示す図で、（ａ）は転がり体が駆動部停止スイッチの操作部に接する際の図、（ｂ）は更に操作部が操作される際の図、（ｃ）は転がり体が操作部から嵌合溝のエッジ部にバトンタッチされる際の図、（ｄ）は転がり体が嵌合溝に押し出される際の図である。
【００２０】
これらの図において、１はシャッターで、このシャッター１は、建物の開口部２の上部に設けられシャッターカーテン３を巻き上げ下げする巻取軸４と、この巻取軸４に回転力を与える駆動部である例えば電動式の開閉機９と、シャッターカーテン３の両側部を昇降可能に支持するガイドレール１０，１０と、シャッターカーテン３の落下を抑制する落下防止装置１１とを備えている。また、シャッター１は、巻取軸４の両端部を軸受５、５を介して回転可能に支持するブラケット７，８と、シャッターカーテン３を収納するためのシャッターケース１２とを備えている。
【００２１】
巻取軸４の両端には軸受５，５に支持される軸（一方を駆動軸、他方を従動軸という）１３，１４が溶接等により突設されている。一方の軸受５及びブラケット７から外側に突出した駆動軸１３には被駆動スプロケット１５が固定され、この被駆動スプロケット１５には開閉機９側の駆動スプロケット１６が無端チェーン１７を介して連結されている。
【００２２】
開閉機９は、図２に示すように前記駆動スプロケット１６を減速機１８を介して回転駆動するモータ１９と、停電時にモータ１９の回転軸を制動するブレーキ装置２０と、このブレーキ装置２０の制動を解除するブレーキ開放装置２１と、火災時にモータ１９の回転軸を介してシャッターカーテン３の降下速度を減速させながら自動降下させるガバナー装置２２とを備えている。シャッター１の近傍の壁には開閉機９を操作するための操作スイッチ２３が設けられている。
【００２３】
前記従動軸１４は、図３ないし図４に示すように軸受５及びブラケット８を介して外側へ突出され、その突出部に接続するようにして前記落下防止装置１１がブラケット８の外側部に設けられている。この落下防止装置１１は、従動軸１４を介して巻取軸４に連結された回転ディスク２４と、この回転ディスク２４を回転可能に収容した固定本体２５とを有している。固定本体２５はブラケット１８の外側面に固着具例えばネジ２６で固定されている。
【００２４】
固定本体２５は、図示例の場合、回転ディスク２４を収容する一側面が開放された円形の収容部２７を有する外蓋２８と、その収容部２７の開放面を覆うべく外蓋２８の一側面に当接された内蓋２９とから主に構成されている。回転ディスク２４は、前記固定本体２５の収容部２７内に収容されると共に従動軸１４に嵌合装着され、従動軸１４と一体に回転するようになっている。
【００２５】
回転ディスク２４の外周には図５に示すように転がり体３０を回転可能に収容した複数例えば８つの収容溝３１が所定ピッチで設けられている。転がり体３０としては、図示例のようにローラが好ましいが、ボール（球体）であっても良い。また、転がり体３０は、中実であることが好ましいが、中空であってもよい。図示例では、収容溝３１は半径方向外方に開放された断面Ｕ字状に形成されている。また、各収容溝３１は転がり体３０がほぼ納まる大きさとされている。回転ディスク、固定本体及び転がり体は、剛性を有する材質例えば金属により形成されている。
【００２６】
一方、固定本体２５の収容部２７の内径は、回転ディスク２４の外径よりも少しだけ大きく形成され、収容部２７の内周面２７ａにより転がり体３０が収容溝３１から離脱しないように規制されている。固定本体２５の内周面２７ａの上側部分（詳しくは正常回転時に転がり体３０が自重で収容溝３１に納まる位置）には落下時の高速回転（異常回転）の遠心力で収容溝３１から飛び出す転がり体３０を該転がり体３０の外径の略半分だけ嵌合させて回転ディスク２４の回転を停止させるための嵌合溝３２が設けられている。
【００２７】
図５の図示例では、シャッターカーテン３の落下時に回転ディスク２４が反時計方向に回転し、嵌合溝３２は固定本体２５の内周面２７ａにおける右上半分の略中間位置に１つ設けられている。この場合、嵌合溝３２における回転ディスク２４の回転方向の面は転がり体３０の外径の略半分を受けるように転がり体３０の外形と略同じ曲面形状の受け面３２ａとして形成され、回転方向とは反対の面は転がり体３０を受け面３２ａに円滑に導くためのテーパー面３２ｂとして形成されていることが好ましい。また、回転ディスク２４の各収容溝３１のシャッターカーテン巻き上げ回転方向側エッジ部には異常回転時に嵌合溝３２に入り込んだ転がり体３０の下部を係合させて面接触で支持する凹部３３が形成されていることが耐久性の向上を図る上で好ましい。
【００２８】
前記嵌合溝３２には転がり体３０により操作される検出手段である駆動部停止スイッチ（開閉機停止スイッチともいう）３４の操作部３５が設けられ、該操作部３５には転がり体３０が嵌合溝３２の壁に当たる衝撃を吸収する衝撃吸収手段としてのバネ３６が設けられている。嵌合溝３２は、後述する遊びを形成すべく周方向に転がり体３０の直径ｄの略１．５倍程度に長く形成されている。このこともあり、シャッターカーテンの落下による回転ディスク２４の高速回転の遠心力で収容溝３１から嵌合溝３２側に勢いよく飛び出した転がり体３０が嵌合溝３２の壁に当たる衝撃で収容溝３１側に跳ね返ってしまうことによりロックがかからないという誤動作を発生する可能性があり、この誤動作を防止するために前記操作部３５には転がり体３０が嵌合溝３２の壁に当たる衝撃を吸収するための衝撃吸収手段としてのバネ３６が設けられている。
【００２９】
具体的には、操作部３５は駆動部停止スイッチ３４から切り離された状態で固定本体２５に嵌合溝３２を縦断する如く接線方向に移動自在に取付けられている。この操作部３５は例えば剛性を有する金属製の板材からなる。この板状の操作部（操作板ともいう）３５は、斜めの移動方向に長く形成されており、その移動方向の下方に駆動部停止スイッチ３４が設けられている。操作部３５には嵌合溝３２に入り込む転がり体３０を受けて嵌合溝３２の受け面３２ａの位置まで移動される受け部３５ａが形成されている。該受け部３５ａはＬ字状に形成されている。
【００３０】
操作部３５が駆動部停止スイッチ３４に当接した待機位置にあるときに、操作部３５の受け部３５ａが嵌合溝３２の長手方向略中央部に位置するように設定されている。回転ディスク２４の高速回転（異常回転）による遠心力で転がり体３０が収容溝３１から勢いよく飛び出して嵌合溝３２に入って壁に当たる際に受け部３５ａにも当接し、その時の衝撃がバネ３６によって吸収ないし緩和されるようになっている。そして、操作部３５は更に回転ディスク２４の凹部３３に係合して回転ディスク２４と共に移動される転がり体３０により受け部３５ａを押されて転がり体３０が嵌合溝３２の受け面３２ａに当接する位置までバネ３６の付勢力に抗して移動されるようになっている。
【００３１】
駆動部停止スイッチ３４は、固定本体２５における操作部３５の下端と対向する位置に設けられている。駆動部停止スイッチ３４は、操作部３５の下端と対向するスイッチ素子３４ａを有する常時オンタイプのものものからなり、該スイッチ素子３４ａに操作部３５が当接するとオフ（非通電状態）になり（或いはオフ信号により）開閉機９の操作が可能となり、スイッチ素子３４ａから操作部３５が離れるとオン（通電状態）になり（或いはオン信号により）開閉機９が停止されブレーキ装置２０が働くようになっている。また、駆動部停止スイッチ３４からのオン信号に基いてランプやＬＥＤ等の表示器を点灯表示したり、警報を発するための出力部が設けられていることが好ましく（図示省略）、これにより落下防止装置１１が作動したことを容易に確認することができ、安全性及び信頼性の向上が図れる。
【００３２】
操作部３５にはこれを駆動部停止スイッチ３４のスイッチ素子３４ａに当接させる方向へ付勢する付勢手段としてのバネ（例えば引っ張りバネ）３６が設けられており、このバネ３６が前記衝撃吸収手段を兼ねている。操作部３５にはバネ３６の一端を支持する可動側支持部３５ｂが設けられ、固定本体２５にはバネ３６の他端を支持する固定側支持部３７が設けられている。
【００３３】
また、シャッター１においては、シャッターカーテン３の落下により回転ディスク２４が高速回転（異常回転）になった場合に、図８に示すように転がり体３０の中心が回転ディスク２４の収容溝３１のエッジ３１ｅと固定本体２５の嵌合溝３２のエッジ３２ｅとを結ぶ直線上付近にあると、両エッジ間３１ｅ，３２ｅに転がり体３０が挟まって不完全なロックがかかる可能性があることから、これを防止すために、図６に示すように、前記駆動部停止スイッチ３４の操作部３５が嵌合溝３２のエッジ３２ｅから所定の間隔ｈだけ半径方向外方に離して配置されている。
【００３４】
該間隔ｈは、転がり体の直径ｄ（ｍｍ）の０．１〜０．４倍、すなわち（０．１〜０．４）ｄ（ｍｍ）、好ましくは０．２ｄ（ｍｍ）である。間隔ｈが０．１ｄを下回ると不完全なロックがかかりやすくなり、０．４ｄを上回ると側が大きくなるとともに転がり体３０が操作部３５の受け部３５ａのエッジ３５ｅに引っかかりにくくなるからである。上記間隔ｈを（０．１〜０．４）ｄとすることにより、図６の（ａ）のように先ず転がり体３０が収容溝３１のエッジ３１ｅと操作部３５のエッジ３５ｅ間に挟まれ、この状態を保ったまま次に図６の（ｂ），（ｃ）のように転がり体３０が回転ディスク２４の回転に伴って移動して嵌合溝３２のエッジ３２ｅに当接し、支持点が可動側の操作部３５のエッジ３５ｅから固定側の嵌合溝３２のエッジ３２ｅに移る（バトンタッチされる）ことにより、転がり体３０の中心が収容溝３１のエッジ３１ｅと嵌合溝３２のエッジ３２ｅを結ぶ線よりも外側になるため、図６の（ｄ）のように転がり体３０が嵌合溝３２側に押し出されて嵌合溝３２に嵌合（ロック）し、不完全なロックを解消することが可能となる。
【００３５】
更に、シャッター１においては、シャッターカーテン３の巻き下げ中（回転ディスクは正常回転中）に、地震や強風などの強い揺れが発生すると、図９に示すように転がり体３０が揺れにより回転ディスク２４の収容溝３１から固定本体２５の嵌合溝３２側に移動してしまうことによりロックがかかってしまうという誤動作を起こし、ロックが一度かかってしまうと復帰が困難となる可能性があるため、これを防止するために、嵌合溝３２には転がり体３０が地震等の揺れで嵌合溝３２側に移動した時に駆動部停止スイッチ３４が切れてから慣性力で回転する回転ディスク２４が停止するまでの動きを許容する所定の遊びθが設けられている。
【００３６】
この遊びθは、回転角度で５〜２０°、好ましくは１０°とされる。遊びθが５°を下回ると回転ディスク２４がブレーキ装置２０の作動で停止する前に転がり体３０が嵌合溝３２に嵌合してロックがかかってしまい、２０°を上回るとロックがかかるまでの転がり体３０及び操作部３５の移動距離が長くなり応答性が悪くなるからである。
【００３７】
揺れで転がり体３０が図７の（ａ）のように嵌合溝３２側に移動したとしても、転がり体３０が回転ディスク２４の凹部３３に嵌る前であれば転がり体３０は重力で自動的に収容溝３１内に戻る。図７の（ｂ）のように転がり体３０が回転ディスク２４の凹部３３に嵌ってしまうと、転がり体３０が回転ディスク２４と共に移動することになるが、その際に転がり体３０により操作部３５が移動され駆動部停止スイッチ３４がオフとなり、開閉機９が停止してブレーキ装置２０が作動するが、嵌合溝３２に所定の遊びθが設けられているため、図７の（ｃ）のように転がり体３０が嵌合溝３２に嵌合（ロック）する前に回転ディスク２４の回転が停止する。
【００３８】
この状態ではロックがかかっていないため、図７の（ｄ）のように回転ディスク２４をシャッターカーテン３の巻き上げ方向に回転することにより転がり体３０を収容溝３１に戻して容易に復帰させることができる。このように地震等の揺れによる誤動作を起こしたとしても容易に復帰させることができるため、シャッターケース１２の天井を剥がして落下防止装置の部品交換を行う必要はない（解体を要しない）。なお、図７の（ｃ）に示す時点では駆動部停止スイッチ３４がオフになっているため、該駆動部停止スイッチ３４をパスする配線を用いて操作スイッチ２３から開閉機９を操作すればよい。
【００３９】
以上の構成において、駆動用のチェーン１７の切断や外れ、駆動軸１３の溶接外れやブレーキ装置２０の故障などによりブレーキ装置２０やガバナー装置２２が効かない状態でシャッターカーテン３の落下が始まった場合、正常回転時には回転ディスク２４外周の上側部分において各収容溝３１内に自重で収容されている転がり体３０が回転ディスク２４の高速回転（異常回転）による遠心力により収容溝３１から半径方向外方へ飛び出ようとする。
【００４０】
このとき、固定本体２５の内周面２７ａにより転がり体３０は収容溝３１から飛び出さないように規制されているが、固定本体２５の内周面２７ａにおける嵌合溝３２の位置に至ると、転がり体３０は収容溝３１から略半分だけ外方へ飛び出して嵌合溝３２に嵌合し、当該転がり体３０が固定本体２５の嵌合溝３２と回転ディスク２４の収容溝３１の凹部３３との間に跨った状態で周方向のせん断応力が生じるように挟み込まれることにより回転ディスク２４の回転が強制的に阻止（停止）され、これによりシャッターカーテン３の落下を確実に防止することができ、信頼性及び安全性の向上が図れる。
【００４１】
転がり体３０は、中実である場合、固定本体２５の嵌合溝３２と回転ディスク２４の収容溝３１の凹部３３との間で挟み込まれた時に変形しにくい。従って、落下防止装置１１が作動しても転がり体３０が変形せずに何度でも再使用することができて交換作業を要しない。また、嵌合溝３２には転がり体３０により操作される駆動部停止スイッチ３４の操作部３５が設けられているため、開閉機９が作動中であったとしてもこれを自動的に停止させることができる。
【００４２】
また、操作部３５には転がり体３０が嵌合溝３２の壁に当たる衝撃を吸収する衝撃吸収手段としてのバネ３６が設けられているため、転がり体３０が収容溝３１側へ跳ね返ってしまうことによりロックがかからないという誤動作を防止することができ、落下防止装置１１の動作を安定させることができる。
【００４３】
落下防止装置１１の作動後、故障箇所を修理してから落下防止装置１１を非作動状態に復帰させる場合には、前述したように開閉機９を作動させて回転ディスク２４をシャッターカーテン３の落下方向（降下方向）とは逆の巻き上げ方向（上昇方向）に回転させればよく、これにより転がり体３０が収容溝３１内に戻り、簡単に復帰させることができる。
【００４４】
また、操作部３５を嵌合溝３２のエッジ３２ｅから半径方向外方に転がり体の直径ｄの０．１〜０．４倍の間隔ｈをもって配置しているため、図６の（ａ）のように先ず転がり体３０が収容溝３１のエッジ３１ｅと操作部３５のエッジ３５ｅ間に挟まれ、この状態を保ったまま次に図６の（ｂ），（ｃ）のように転がり体３０が回転ディスク２４の回転に伴って移動して嵌合溝３２のエッジ３２ｅに当接し、支持点が可動側の操作部３５のエッジ３５ｅから固定側の嵌合溝３２のエッジ３２ｅに移る（バトンタッチされる）ことにより、転がり体３０の中心が収容溝３１のエッジ３１ｅと嵌合溝３２のエッジ３２ｅを結ぶ線よりも外側になり、図６の（ｄ）のように転がり体３０が嵌合溝３２側に押し出されて嵌合溝３２に嵌合（ロック）し、不完全なロックを防止することができ、不完全なロックに起因するシャッターカーテンの再落下を防止することができ、安全性が向上する。
【００４５】
一方、シャッターカーテンの巻き下げ中（回転ディスクは正常回転中）に、地震や強風などの強い揺れが発生すると、その揺れで図７の（ａ）のように転がり体３０が嵌合溝３２側に移動する誤動作を発生する場合がある。この場合、転がり体３０が回転ディスク２４の凹部３３に嵌る前であれば転がり体３０は重力で自動的に収容溝３１内に戻るが、図７の（ｂ）のように転がり体３０が回転ディスク２４の凹部３３に嵌ると、転がり体３０が回転ディスク２４の回転に伴って移動して操作部３５の受け部３５ａに当接してこれを動かすことにより駆動部停止スイッチ３４が切れる。
【００４６】
駆動部停止スイッチ３４が切れると、開閉機９が停止してブレーキ装置２０が作動し、回転ディスク２４が停止する。このとき、嵌合溝３２には駆動部停止スイッチ３４が切れてから回転ディスク２４が停止するまでの動きを許容する遊びθが回転角度で５〜２０°設けられているため、図７の（ｃ）のように転がり体３０が嵌合溝３２に嵌合（ロック）する手前で回転ディスク２４が停止するようになる。この状態ではロックがかかっていないため、開閉機９を逆回転させれば、図７の（ｄ）のように回転ディスク２４が矢印方向（シャッターカーテンの巻き上げ方向）回転することにより転がり体３０を収容溝３１に戻して容易に復帰させることができる。
【００４７】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００４８】
【図１】本発明の実施の形態に係るシャッターの概略構成を示す図で、（ａ）は正面図、（ｂ）は側面図である。
【図２】同シャッターの駆動側の構造を示す図である。
【図３】同シャッターの従動側の構造を示す図である。
【図４】図３の要部拡大断面図である。
【図５】高速回転時の落下防止装置の作用を示す図で、（ａ）は転がり体が嵌合溝側に移動する際の図、（ｂ）は転がり体により駆動部停止スイッチの操作部が操作される際の図、（ｃ）は転がり体が嵌合溝に嵌合する際の図である。
【図６】高速回転時の落下防止装置の作用を示す図で、（ａ）は転がり体が駆動部停止スイッチの操作部に接する際の図、（ｂ）は更に操作部が操作される際の図、（ｃ）は転がり体が操作部から嵌合溝のエッジ部にバトンタッチされる際の図、（ｄ）は転がり体が嵌合溝に押し出される際の図である。
【図７】正常回転時の落下防止装置の作用を示す図で、（ａ）は転がり体が駆動部停止スイッチの操作部に接する際の図、（ｂ）は更に操作部が操作される際の図、（ｃ）は転がり体が操作部から嵌合溝のエッジ部にバトンタッチされる際の図、（ｄ）は転がり体が嵌合溝に押し出される際の図である。
【図８】落下防止機構の誤動作の一例を説明する図である。
【図９】落下防止機構の誤動作の他の例を説明する図である。
【符号の説明】
【００４９】
１  シャッター
２  開口部
３  シャッターカーテン
４  巻取軸
９  開閉機（駆動部）
１０  ガイドレール
１１  落下防止装置
２４  回転ディスク
２５  回転本体
３０  転がり体
３１  収容溝
３２  嵌合溝
３２ｅ  嵌合溝のエッジ
３４  駆動部停止スイッチ
３５  操作部
３６  バネ（衝撃吸収手段）
ｄ  転がり体の直径
θ  遊び
【図１】
2006307442.tif 000003
【図２】
2006307442.tif 000004
【図３】
2006307442.tif 000005
【図４】
2006307442.tif 000006
【図５】
2006307442.tif 000007
【図６】
2006307442.tif 000008
【図７】
2006307442.tif 000009
【図８】
2006307442.tif 000010
【図９】
2006307442.tif 000011